(57)【要約】【課題】カセットの脱着作業を容易にする。【解決手段】複数の光ファイバコードがコネクタ接続されるカセット１１と、該カセット１１を一定間隔を空けて多数並べて保持するキャリア１０とを有し、カセット１１は上下方向に突出するガイドフィン２ａ，２ｂを備えると共に上端あるいは下端の少なくとも一方に横方向に弾性変形しキャリア１０に対する当該カセット１１の離脱方向において係合するロック爪部１ｃを備え、キャリア１０はカセット１１を奥行き方向に収納可能な空間１３とカセット１１の着脱方向と直交する方向に並べられた複数のガイド溝３ａ，４ａとを備え、かつ一方のガイド溝４ａがカセット１１のガイドフィン２ａを嵌合するスリットであり、他方のガイド溝３ａがガイドフィン２ａとロック爪部１ｃの双方を嵌合させる幅のスリットとしている。  【選択図】        図１
2008180817.tif 000002
【特許請求の範囲】
【請求項１】
複数の光ファイバコードがコネクタ接続されるカセットと、該カセットを一定間隔を空けて多数並べて保持するキャリアとを有し、前記カセットには上下方向に突出するガイドフィンを備えると共に上端あるいは下端の少なくとも一方に横方向に弾性変形し前記キャリアに対する当該カセットの離脱方向において係合するロック爪部を備え、前記キャリアは前記カセットを奥行き方向に収納可能な空間と前記カセットの着脱方向と直交する方向に並べられた複数のガイド溝とを備え、かつ上端側あるいは下端側の前記ガイド溝の少なくとも一方が前記カセットのガイドフィンを嵌合するものであり、他方が前記カセットのガイドフィンと前記ロック爪部の双方を嵌合させるものである光分岐接続装置。
【請求項２】
前記キャリアのカセット収容空間の手前側に光ファイバコードの余長部を載せる余長収容部を備えると共にその両端に接続した光ファイバコードを固定する固定部を備えたものである請求項１記載の光分岐接続装置。
【請求項３】
複数の光ファイバコードがコネクタ接続されるカセットをキャリアに並べて保持する光分岐接続装置において、前記キャリアのカセット収容空間の手前側に設置された光ファイバコードの余長部を載せる余長収容部の両端に固定した光ファィバコードを支える弾性支持シートを備え、かつ該弾性支持シートはその両端にケーブル引き出し方向に突出する突起を備え、前記光ファイバコードの幅方向への移動を規制するものである光分岐接続装置。
【請求項４】
複数の光ファイバコードがコネクタ接続されるカセットをキャリアに並べて保持する光分岐接続装置において、前記カセットの一側面にアダプタ番号を表示した可撓性のアダプタ番号シートが、前記アダプタ番号を表示した部分を前記スプリッタカセットより前方へはみ出させるように設けて備えられ、前記アダプタ番号を表示した部分を捲って正面側に向けることで前記アダプタ番号を読み取り可能とし、アダプタに差し込まれたコネクタの線番を特定可能としたことを特徴とする光分岐接続装置。
【発明の詳細な説明】
【技術分野】
【０００１】
本発明は、光加入者線局内装置から出てくる光ファイバーを複数の光加入者線宅内装置に分岐接続するための光分岐接続箱に関する。さらに詳述すると、本発明は、ＦＴＴｘ方式の光アクセスネットワークを構築するのに好適なコネクタ接続の光分岐接続箱に関する。
【背景技術】
【０００２】
近年、ＰＯＮ方式を利用したＦＴＴｘ方式の光通信ネットワーク例えばＦＴＴＨが広く構築されている。ＰＯＮ方式は、設備センター側の１つのＯＬＴ（Optical Line Terminal:光加入者線局内装置）に光スプリッタを介して複数のＯＮＵ(Optical Network Unit:光加入者線宅内装置)が接続される形態（１対多接続）のポイント・ツー・マルチポイントシステムで構築されたネットワーク方式である。このＰＯＮ方式の場合には、３２分岐まで分波が行われるので、ＯＬＴからの出力ファイバを局内で４分岐あるいは８分岐（場合によっては１６分岐）してから加入者宅近傍の架空光クロージャーでさらに８分岐あるいは４分岐（場合によっては２分岐）するようにしているのが一般的である。また、大口加入者のケースでは、加入者のビル内までＯＬＴからの出力ファイバを引き込んで、加入者宅内で分岐することもある。
【０００３】
この光ファイバの分岐は局内に配置された光分岐接続装置あるいは光接続箱若しくは光配線架と呼ばれるもので行われている。例えば、分岐モジュールとコネクタとを内部に収納した薄板状のパッケージとして架台に多数並べて配設するようにした光配線架がある（特許文献１）。この光配線架は、薄板状パッケージの後端側から導入したテープコードを分岐モジュールで分岐させて薄板状パッケージの前端に設置した光コネクタに接続するようにしたものであり、フレームの端子パネルに前端の光コネクタ部分を嵌め込むと共に薄板状パッケージの後端を架台に対してビス止めするようにして固定している。
【０００４】
また、光アダプタには対応する線番表示が必要となる。この線番表示は光アダプタの両側に設けなければならないが、光配線箱を薄型化して光ファイバの配線の高密度化を達成しようとする場合には、光アダプタの横に線番のスペースをとることができないことがある。そこで、光アダプタの両側に取り付け部を張り出させる一方、この取り付け部を当接させて固定するための光アダプタ突当て部を光配線箱の前端面に設けると共に、光アダプタの両側の取り付け部を光アダプタ突当て部に押し当てた状態で全ての光アダプタの取り付け部を跨ぐ押さえ部材で前側から押さえるようにしながらビス止めして固定する取り付け構造とし、最も前面に配置される押さえ部材の表面に線番表示をするようにしたものがある（特許文献２）。この光配線箱は光アダプタ突当て部を光配線架にビス止めすることにより、並べて実装するようにしている。
【０００５】
さらに、光分接続装置においては、配線する光ファイバコードが光配線架の中で垂れ下がる際にキンクを起こしてしまう虞があるので、そのような箇所にはＲガイド部を配置するようにしている。このＲガイド部は一般に金属板を湾曲させたようなものであり、その上にコードを載せることでキンクしないように支えるようにしている（特許文献３）。
【０００６】
【特許文献１】特開平８−１５２５２９
【特許文献２】特開２００５−１６５０７５
【特許文献３】特開平１０−９０５２５
【発明の開示】
【発明が解決しようとする課題】
【０００７】
しかしながら、局内設備の小型化並びに高密度化のために、薄板状のパッケージとして架台に多数並べて配設するようにした光配線架としても、架台に対してビス止めするのではカセットの脱着操作がビス固定では面倒であると共に作業時間を要してしまう。そうかといって、所謂ローラキャッチやマグネット式の固定具を用いてカセットの固定を図る場合には、コネクタの挿入時あるいは脱着時にカセット全体が架台から取り外される虞があり、却って手間がかかってしまう。
【０００８】
また、線番表示のために光アダプタの両側に取り付け部を張り出させて表面に線番表示を施した押さえ部材で固定するような工夫をしても、結局は光アダプタの横幅が大型化するために光配線架の構造が大型し、光配線架に収納するファイバ数を増加させることは難しい。このため、従来のアダプタの構成を採用する場合には、カセットの小型化・高密度化を図る際には正面に表示場所がなくなってしまうことから、正面から見える場所にアダプタ番号を印刷またはシールなどで表示することができなかった。このため、無闇に光配線箱を高密度化に対応させても、線番表示が十分でない場合には、カセットをいちいち架台から取り出して線番表示を確認しながら作業を進める必要があるので、工事が面倒となり、更にそれ故に確認を怠って誤接続を招いたりする事故を完全に排除できないものとなる虞がある。このため、高密度化に対応することが難しいという問題があった。
【０００９】
さらに、従来、コードが装置端面を通過する場合、板金・樹脂等にてＲ部材を形成していたが、光ファイバコードが垂れ下がる際にＲ部材から逸脱してキャリアの縁などでキンクを引き起こしたり、Ｒ部材そのものの縁でキンクを引き起こす虞がある。特に、接続ファイバ数が増える程にキンクの虞が増す。
【００１０】
そこで本発明は、カセットの脱着作業が容易な光分岐接続装置を提供することを目的とする。また、本発明は、カセットの小型化・高密度化を図ってもアダプタ番号・線番表示を正面から見ることができる構造の光分岐接続装置を提供することを目的とする。また、本発明は、接続ファイバ数が増えても光ファイバコードのキンクを防ぐことができる光分岐接続装置を提供することを目的とする。
【課題を解決するための手段】
【００１１】
かかる目的を達成するため、本発明の光分岐接続装置は、複数の光ファイバコードがコネクタ接続されるカセットと、該カセットを一定間隔を空けて多数並べて保持するキャリアとを有し、前記カセットには上下方向に突出するガイドフィンを備えると共に上端あるいは下端の少なくとも一方に横方向に弾性変形し前記キャリアに対する当該カセットの離脱方向において係合するロック爪部を備え、前記キャリアは前記カセットを奥行き方向に収納可能な空間と前記カセットの着脱方向と直交する方向に並べられた複数のガイド溝とを備え、かつ上端側あるいは下端側の前記ガイド溝の少なくとも一方が前記カセットのガイドフィンを嵌合するものであり、他方が前記カセットのガイドフィンと前記ロック爪部の双方を嵌合させるものであるようにしている。
【００１２】
また、請求項２記載の発明は、請求項１記載の光分岐接続装置において、キャリアのスプリッタカセット収容空間の手前側に光ファイバコードのケーブルの余長部を載せる余長収容部を備えると共にその両端に接続した光ファイバコードを固定する固定部を備えるようにしている。
【００１３】
また、本発明の光分岐接続装置は、複数の光ファイバコードがコネクタ接続されるカセットをキャリアに並べて保持する光分岐接続装置において、前記キャリアのカセット収容空間の手前側に設置された光ファイバコードの余長部を載せる余長収容部の両端に固定した光ファィバコードを支える弾性支持シートを備え、かつ該弾性支持シートはその両端にケーブル引き出し方向に突出する突起を備え、前記光ファイバコードの幅方向への移動を規制するようにしている。
【００１４】
さらに、本発明の光分岐接続装置は、複数の光ファイバコードがコネクタ接続されるカセットをキャリアに並べて保持する光分岐接続装置において、前記カセットの一側面にアダプタ番号を表示した可撓性のアダプタ番号シートが、前記アダプタ番号を表示した部分を前記スプリッタカセットより前方へはみ出させるように設けて備えられ、前記アダプタ番号を表示した部分を捲って正面側に向けることで前記アダプタ番号を読み取り可能とし、アダプタに差し込まれたコネクタの線番を特定可能とするようにしている。
【発明の効果】
【００１５】
請求項１記載の光分岐接続装置によれば、カセットのガイドフィンをキャリアのスリットに嵌合させて押し込むだけでキャリアの所定位置にカセットを固定でき、カセットのロック爪部を弾性変形させながら引き出すだけでキャリアから離脱させることができる。つまり、ワンタッチでカセットのキャリアに対する脱着を行うことができる。しかも、カセットとキャリアとの係合をはかるロック爪部はスリットが並ぶ方向・横方向に変形するようにしているので、キャリアにカセットの重量で撓みが生じても、ロック爪部の係合不良が起こることがなく、確実に保持可能である。
【００１６】
さらに請求項２記載の光分岐接続装置によれば、キャリアのカセット収容空間の手前側に光ファイバコードの余長部を載せる余長収容部を備えると共にその両端に接続した光ファイバコードを固定する固定部を備えるようにしているので、十分な余長を設定してコネクタに負荷がかかるのを防ぐと共にコードの底擦りを防ぐことができる。
【００１７】
また請求項３記載の光分岐接続装置によれば、光ファイバコードの余長を余長収容部に載せて支持してコネクタに負荷がかかるのを防いだ状態で光ファイバコードのキャリアの外に引き出される部分が弾性支持シートによって緩やかに撓むように支持されるので、キンクの虞がない。しかも、弾性支持シートの両端に突出する突起によって光ファイバコードの両側を規制するようにしているので、コードの量が増えて弾性支持シートの撓み量が増えても光ファイバコードが弾性支持シートから脱落することがない。
【００１８】
さらに請求項４記載の光分岐接続装置によれば、カセットを隙間なく並べるようにキャリアに保持させて高密度化を図るようにしても、光ファイバコードの接続先を切り換える場合には、可撓性のアダプタ番号シートを捲って正面側に向けることでアダプタ番号を読み取ることができ、アダプタに差し込まれたコネクタの線番を特定することができるので、作業が容易となる。
【発明を実施するための最良の形態】
【００１９】
以下、本発明の構成を図面に示す実施形態に基づいて詳細に説明する。
【００２０】
図１から図９に本発明の光分岐接続装置の実施の一形態を示す。この光分岐接続装置は、図示していないラックに固定されるキャリア１０に対してコネクタ接続のカセット１１をワンタッチで脱着可能に保持させるようにしたものである。本実施形態の場合、カセット１１はスプリッタとその入力側ファイバ及び出力側ファイバを内蔵するスプリッタカセットである。
【００２１】
本実施形態のスプリッタカセット１１は、樹脂製筐体１とアルミ板製カバー２とで構成され、アルミ板製カバー２をガイド部材として兼用するようにしている。尚、本実施形態においては、樹脂製筐体１とアルミ板製カバー２とが採用されているが特に材質に限定されるものではない。
【００２２】
樹脂製筐体１は、スプリッタ収納部１ａとアダプタ収納溝１ｂと、ロック爪部１ｃと、カバー取り付け用ねじ孔１ｄを備えている。樹脂製筐体１の図７に示すスプリッタ保持部１ａにスプリッタ（図示省略）を収容してから、スプリッタの入力側ファイバ並びに出力側ファイバを対応するアダプタ１２と共に筐体１内に収納し、その上からカバー２をねじ止めすることでスプリッタカセット１１が組み立てられている。
【００２３】
さらに、スプリッタカセット１１には、キャリア１０と当該スプリッタカセット１１の離脱方向において係合するロック爪部１ｃを備えている。このロック爪部１ｃは、カセット１１の脱着方向に延びる板状を成し、基端部１ｇが樹脂製筐体１と一体化され、先端側が樹脂製筐体１から切り離されて樹脂ばね性を発揮する部分１ｈとなって幅方向に変形可能な自由端とされている。本実施形態では、縦長な板状を成し、全長のほぼ１／３程度の基端部１ｇが樹脂製筐体１と繋がり、残りの２／３程度の先端側１ｈが樹脂製筐体１と分離した状態とされるように、モールド樹脂成形されている。このロック爪部１ｃの樹脂ばね性を発揮する自由端１ｈ側の中程には、幅方向に突出したロック爪１ｅが形成されている。このロック爪１ｅは、カセット挿入方向側の面が傾斜面とされて、キャリア１０の縁即ち上部プレート４の折り曲げ部によって形成されるストッパ片４ｂに当接したときにロック爪１ｅを相対的に乗り越えるように幅方向に変形可能とさせている。そして、カセット離脱方向側の面は垂直面とされ、キャリア１０側のストッパ片４ｂに当接して係合可能とされている。したがって、ロック爪１ｅがキャリア１０のストッパ片４ｂと係合することでカセット１１は先端摘み部１ｆを内側・ロック爪１ｅの係合を解除する方向に操作しない限り、カセット１１を取り出せない構造とされている。
【００２４】
アルミ板製カバー２は、樹脂製筐体１の上面よりも上方へ突出した凸部（上ガイドフィン）２ａと、樹脂製筐体１の下面よりも下方へ突出した凸部（下ガイドフィン）２ｂと、アダプタの位置決め用の突起を収納するためのアダプタ収納溝２ｃと、樹脂製筐体１のカバー取り付け用ねじ孔１ｄにねじ込むビスを貫通させるためのカバー取付用孔２ｄとを有している。この上下のガイドフィン２ａ，２ｂは、本実施形態の場合にはアルミ板製カバーと一体に形成しているが、場合によっては樹脂製筐体１側に一体的に形成するようにしても良い。カバー２とガイドフィン２ａ，２ｂとを一体的に形成してガイド手段としてのカバー２の共用化をする場合には、カセットを段重ねして分岐数を増大させる場合の手間を省いて容易に実施できる。つまり、筐体１とガイドフィン２ａ，２ｂとを樹脂で一体成形する場合には、カセットを連結して重ねる場合には、１組の上下のガイドフィン２ａ，２ｂを残して、他のカセットのガイドフィン２ａ，２ｂ部分を取り除く手間がかかってしまう。
【００２５】
さらに、アルミ板製カバー２には、アダプタ番号を表示した可撓性のアダプタ番号シート９が、番号表示部分９ａをカバー２より前方へはみ出させるように設けられている。本実施形態の場合には、アダプタ番号シート９は接着剤を塗布した貼着部９ｂを有するシールで構成され、貼着部９ｂをアルミ製カバーに貼着することで取り付けられている。このアダプタ番号シート９は、番号表示部分９ａを捲って正面側に向けることでアダプタ番号を読み取り可能とし、アダプタ１２に差し込まれたコネクタの線番を特定可能としている。
【００２６】
スプリッタカセット１１の前面に縦一列に配置されている複数のアダプタ１２は、図示していないが、スプリッタに接続された入力側ファイバ及び出力側ファイバに対応させてコネクタ接続されている。４分岐タイプの本実施形態のスプリッタカセット１１の場合には、１つの入力用アダプタ（アダプタ番号０）と４つの出力用アダプタ（アダプタ番号１〜４）とを、１つのダミーを介在させて縦に並べて備えている。このアダプタ１２は、スプリッタカセット１１の前方、即ち手前側の端部に設けられた樹脂製筐体１側のアダプタ収納溝１ｂとアルミ板製カバー２側のアダプタ収納溝２ｃとの間にアダプタの固定用突起１２ａを嵌合させることで位置決めしてアルミ板製カバー２と樹脂製筐体１との間で固定されている。
【００２７】
また、本実施形態のスプリッタカセット１１は最大４段までの範囲で樹脂製筐体１を重ねて連結することで、分岐数を増大させることができる。例えば、１枚のアルミ板製カバー２に対して４分岐アダプタを装備する２個の樹脂製筐体１を段重ねすると共に、中間の樹脂製筐体１の抜き底１ｉを打ち抜いて空けた穴を利用して一方の筐体１内に配置したスプリッタからの出力ファイバを２つの筐体１内に分配して対応する８つのアダプタに接続するようにしても良い。これにより、１つのアルミ板製カバー２に支持された２段重ね（２列）の８分岐アダプタが構成される。勿論、この場合のスプリッタは１つであり、２列のアダプタの内の１つが入力用で、残りの８つが出力用である。この方法で、最大４段・１６分岐のスプリッタトレイも構成できる。
【００２８】
キャリア１０は、本実施形態の場合には、曲げ加工によって得られた底部プレート３、上部プレート４、側板５及び前部プレート６から構成され、ビス止めなどで連結されて箱形のカセット収納空間１３を形成するようにしている。底部プレート３には、スプリッタカセット１１のアルミ板製カバー２の下方へ突出する下ガイドフィン２ｂが嵌合するガイド溝３ａが形成されている。上部プレート４には、スプリッタカセット１１のアルミ板製カバー２の上ガイドフィン２ａと樹脂製筐体１のロック爪部１ｃが嵌合するガイド溝４ａが設けられている。ガイド部３ａ，４ａはスリットによって構成されている。尚、本実施形態では、構造強度を増すために上部プレート４の上方にさらにチャネル形状の補強プレート１４が設けられている。
【００２９】
キャリア１０の底部プレート３並びに上部プレート４の前端縁には、折り返し部が形成されてスリット３ａ，４ａによって各プレート３，４の端部が連続するように設けられて、機械的強度の向上が図られている。また、カセット１１側のロック爪部１ｃが導かれる側のスリット４ａの出口には、ロック爪１ｅが当接するストッパ片４ｂが折り曲げ部によって設けられている。本実施形態の場合、上部プレート４の端部が折り返しのために曲面となるので、その一部が切り起こされることによってストッパ片４ｂが残されている。
【００３０】
キャリア１０の側板５の前端には、縁部が外側に折り返されて図示しないラックに固定するためのフランジ５ａが一体的に形成されている。このフランジ５ａには、位置決め用のピンなどを通すためのＵ形の一対の溝５ｂと、位置調整可能とする長孔からなるねじを通すばか孔５ｃとを備えている。
【００３１】
また、底部プレート３の前方には、光ファイバコードの余長部を載せるための前部プレート６がキャリア１０の側板５を利用して設けられている。この前部プレート６は、スプリッタカセット１１の最も下のアダプタ１２の位置よりも低い高さでケーブル余長部を支える余長収容部６ｃと中間傾斜部６ａとを有し、中間傾斜部６ａには、ミニクランプ６ｂをカセットの数とほぼ同数あるいは僅かに少ない数だけ備えられている。このミニクランプ６ｂは下部ガイド溝３ａと下部ガイド溝３ａとの間の空間に対応する位置、即ち２本の下部ガイド溝３ａの間のスプリッタカセット１１を収容する空間の前方に配置されている。アダプタ１２よりも低い位置に配置されたミニクランプ６ｂを通して光ファイバコードがアダプタにコネクタ接続されるため、スプリッタカセット１１の前方特に上部に空間が確保され、ロック解除の先端摘み部１ｆが容易に判別できる。
【００３２】
前部プレート６の幅方向・横方向の両端近傍には、余長収納部６ｃに載せられた光ファイバコードを固定するためのクランプ８が設けられている。このクランプ８は樹脂ばね構造とフック８ａとを利用して開閉可能としたものであり、弾力性に富む発泡性ゴムの板材８ｂを内張して弾力的にコードを挟持するように設けられている。
【００３３】
さらに、前部プレート６の幅方向・横方向の両端には、前部プレート６の縁を覆うようにしてクランプ８よりもさらに端部側に、薄い樹脂板製の弾性支持シート７が取り付けられている。この弾性支持シート７は、前部フレート６から垂れ下がる光ファィバコードを支え、コードが垂れ下がるに沿ってシート７が撓むことによってキンクするのを防ぐものである。本実施形態の場合には、弾性支持シート７の先端側に向かう程撓みやすくして光りファイバのキンクにより対処できるようにするため、適宜孔７ｂをあけて撓み易くしている。さらに、可撓性の弾性支持シート７は、その両端にケーブル引き出し方向に突出する突起７ａを備え、光ファイバコードの幅方向への移動を規制して、シート７の上から脱落するのを防ぐようにしている。
【００３４】
以上のように構成された本実施形態の光分岐接続装置によれば、スプリッタカセット１１の上下のガイドフィン２ａ，２ｂをキャリア１０の上下のガイド溝４ａ，３ａに嵌合させてからカセット収容空間１３に向けて差し込めば、スプリッタカセット１１のロック爪部１ｃが弾性変形してロック爪１ｅがキャリア１０の前縁の折り曲げ部のストッパ片４ｂを乗り越えると同時にロック爪部１ｃが元位置に復帰してロック爪１ｅがストッパ片４ｂとスプリッタカセット１１の離脱方向において係合し、スプリッタカセット１１を自動的に固定する。この状態では、スプリッタカセット１１はキャリア１０に固定されているので、コネクタだけを把持してコネクタの抜き差しを行っても、スプリッタカセット１１そのものがキャリア１０から離脱することがないので、コネクタの抜き差しが容易に行える。ここで、スプリッタカセット１１のアダプタに差し込まれたコネクタの線番の特定などは、アダプタ番号が表示された可撓性のアダプタ番号シート９を捲るように正面側に向けることで、ほぼ正面からアダプタ番号を読み取ることが可能となるので、カセットをキャリアからいちいち取り出さずに接続関係を判別できる。
【００３５】
スプリッタカセット１１をキャリア１０から取り外すときには、キャリア１０の前縁のストッパ片４ｂに係合するロック爪１ｅを先端摘み部１ｆを使ってロック爪部１ｃを係合が解除される方向（スリットが並ぶ方向）に弾性変形させながらスプリッタカセット１１を引っ張ることによって、簡単にキャリア１０から取り出すことができる。
【００３６】
なお、上述の実施形態は本発明の好適な実施の一例ではあるがこれに限定されるものではなく、本発明の要旨を逸脱しない範囲において種々変形実施可能である。例えば、本実施形態ではスプリッタを内蔵するスプリッタカセットを例に挙げて主に説明しているが、これに特に限られるものではなく、複数の光ファィバコードをコネクタ接続する様々な形態の光接続箱などに適用可能である。また、光ファィバコードを支える弾性支持シート７は、スプリッタカセット１１を収容するキャリア１０の前方に余長収容部を有する本実施形態の光分岐接続装置に適用することは好ましい例ではあるが必ずしもその用途が限定されるものではなく、どのような形態のキャリアにおいても光ファイバコードのキンクを防止する手段として独立して実施可能であることは言うまでもない。勿論、アダプタ番号シート９についても同様であり、スプリッタを内蔵しないカセット、例えばコネクタ接続によって光接続関係を切り替えるようなカセットにおいてアダプタ番号を表示するのに使用することも可能である。
【００３７】
また、本実施形態では、キャリアは板金による折り曲げ加工で製作するようにして金型を不要にしているが、場合によってはモールド成型による樹脂製キャリアとしても良いし、スプリッタカセット１１のカバー２も必要に応じて樹脂製とすることも可能である。
【図面の簡単な説明】
【００３８】
【図１】本発明の光分岐接続装置の一実施形態を示す前方から見た斜視図である。
【図２】同光分岐接続装置の後方から見た斜視図である。
【図３】スプリッタカセットの一実施形態を示す斜視図である。
【図４】同光分岐接続装置のキャリアのコード固定部と弾性支持シート付近の拡大斜視図である。
【図５】同光分岐接続装置のキャリアとロック爪部との関係を上から見た拡大斜視図である。
【図６】同光分岐接続装置のキャリアとロック爪部との関係を下から見た拡大斜視図である。
【図７】スプリッタカセットの筐体の一実施形態を示す側面図である。
【図８】スプリッタカセットの筐体のロック爪部を拡大して示す図であり、（Ａ）は平面図、（Ｂ）は側面図である。
【図９】スプリッタカセットのカバーの一実施形態を示す側面図である。
【符号の説明】
【００３９】
１  樹脂製筐体
１ｃ  ロック爪部
１ｅ  ロック爪
１ｆ  先端摘み部
２  アルミ板製カバー
２ａ  上ガイドフィン
２ｂ  下ガイドフィン
３  底部プレート
３ａ  ガイド溝（スリット）
４  上部プレート
４ａ  ガイド溝（上ガイドフィンとロック爪部を嵌合するスリット）
６  前部プレート
６ｂ  ミニクランプ
６ｃ  余長収納部
７  弾性支持シート
７ａ  凸部
８  クランプ
９  アダプタ番号シート
９ａ  番号表示部分
９ｂ  貼着部
１１  スプリッタカセット
１２  アダプタ
１３  スプリッタカセット収容空間
【図１】
2008180817.tif 000003
【図２】
2008180817.tif 000004
【図３】
2008180817.tif 000005
【図４】
2008180817.tif 000006
【図５】
2008180817.tif 000007
【図６】
2008180817.tif 000008
【図７】
2008180817.tif 000009
【図８】
2008180817.tif 000010
【図９】
2008180817.tif 000011